(57)【特許請求の範囲】
【請求項１】
現在位置を検出する位置検出手段を具備する携帯端末機に、コンピュータネットワークを介して接続される管理サイトを備え、前記管理サイトによって、前記携帯端末機に備えられた機能のうちユーザが設定した機能を作動させるトリガシステムであって、
前記管理サイトは、
前記コンピュータネットワークを介して前記携帯端末機から送信されてくるユーザが指定した地図上の領域を示す領域設定データを保存する設定領域データベースと、
トリガ送信サーバとを備え、
前記トリガ送信サーバは、
前記携帯端末機から前記コンピュータネットワークを介して送信されてくる前記位置検出手段により検出された現在位置を示す位置データを取得する位置データ取得手段と、
前記位置データ取得手段が取得した前記位置データと前記設定領域データベースに保存されている領域設定データとを比較して、前記位置データが示す携帯端末機の現在位置が前記領域設定データが示す地図上の領域内に位置しているか否かの判定を行う判定手段と、
前記判定手段によって前記携帯端末機の現在位置が前記地図上の領域内にあると判定されたとき、トリガ信号を前記コンピュータネットワークを介して前記携帯端末機に送信するトリガ信号送信手段とを備え、
前記携帯端末機は、
備えられた機能のうち、前記トリガ信号に基づいて作動させる機能を設定する設定手段を備え、受信した前記トリガ信号に基づいて設定された機能を作動させること、
を特徴とするトリガシステム。
【請求項２】
携帯端末機にコンピュータネットワークを介して接続される管理サイトと、複数の中継基地局によって受信される前記携帯端末機からの電波の電界強度に基づいて前記携帯端末機の現在位置を検出する管理局とを備え、前記管理サイトによって、前記携帯端末機に備えられた機能のうちユーザが設定した機能を作動させるトリガシステムであって、
前記管理サイトは、
前記コンピュータネットワークを介して前記携帯端末機から送信されてくるユーザが指定した地図上の領域を示す領域設定データを保存する設定領域データベースと、
トリガ送信サーバとを備え、
前記トリガ送信サーバは、
前記管理局により検出された前記携帯端末機の現在位置を示す位置データを取得する位置データ取得手段と、
前記位置データ取得手段が取得した前記位置データと前記設定領域データベースに保存されている領域設定データとを比較して、前記位置データが示す携帯端末機の現在位置が前記領域設定データが示す地図上の領域内に位置しているか否かの判定を行う判定手段と、
前記判定手段によって前記携帯端末機の現在位置が前記地図上の領域内にあると判定されたとき、トリガ信号を前記コンピュータネットワークを介して前記携帯端末機に送信するトリガ信号送信手段とを備え、
前記携帯端末機は、
備えられた機能のうち、前記トリガ信号に基づいて作動させる機能を設定する設定手段を備え、受信した前記トリガ信号に基づいて設定された機能を作動させること、
を特徴とするトリガシステム。
【請求項３】
前記領域設定データは、ユーザが前記携帯端末機に入力する住所を示す文字列からなり、
前記設定領域データベースは、前記住所を示す文字列により示される領域を前記領域設定データとして保存すること、
を特徴とする請求項１又は２に記載のトリガシステム。
【請求項４】
前記携帯端末機に地図表示させる地図データを、前記コンピュータネットワークを介して提供する地図データベースサイトを更に備え、
前記管理サイトは、前記携帯端末機に地図表示された地図上においてユーザ指定される指定位置と指定位置からの範囲を示す距離とのデータを前記携帯端末機から送信されてくる前記領域設定データとして入力して、前記設定領域データベースに保存すること、
を特徴とする請求項１又は２に記載のトリガシステム。
【請求項５】
前記位置検出手段は、全地球測位システムに基づいて前記現在位置を検出すること、
を特徴とする請求項１に記載のトリガシステム。
【請求項６】
前記管理サイトは、
前記携帯端末機を所有するユーザを識別するデータを登録する登録ユーザデータベースを更に有し、
前記トリガ信号送信手段は、前記登録ユーザデータベースに登録されたユーザの前記携帯端末機へ前記トリガ信号を送信すること、
を特徴とする請求項１又は２に記載のトリガシステム。
【請求項７】
前記ユーザを識別するデータには、前記携帯端末機の電話番号が含まれること、
を特徴とする請求項６に記載のトリガシステム。
【請求項８】
前記判定手段は、
前記地図データベースサイトが提供する前記地図データを利用して、前記取得した位置データと前記設定領域データベースに保存されている領域設定データとの比較を行って前記判定を行うこと、
を特徴とする請求項４に記載のトリガシステム。
【請求項９】
前記携帯端末機に備えられユーザにより設定される機能には、電話の自動発呼機能が含まれること、
を特徴とする請求項１に記載のトリガシステム。
【請求項１０】
前記携帯端末機に備えられユーザにより設定される機能には、家庭電気製品のリモートコントロール機能が含まれること、
を特徴とする請求項１に記載のトリガシステム。
【請求項１１】
前記コンピュータネットワークは、無線通信によるネットワークであること、
を特徴とする請求項１〜１０の何れか１項に記載トリガシステム。
【発明の詳細な説明】
【０００１】
【発明の属する技術分野】
この発明は、携帯端末機に対して所定の動作を行わせるトリガ情報の送信を行うシステムに関する。
【０００２】
【発明が解決しようとする課題】
近年、携帯電話機やＰＤＡ(Personal Digital Assistants)等の携帯端末機が普及してきており、このような携帯端末機の中には、タイマの設定によって、設定時間になると携帯端末機に装備されている電子メール送信等の各種機能が作動するようになっているものがある。
【０００３】
しかしながら、このような従来の携帯端末機においては、例えば、携帯端末機を携帯して移動するユーザが所要の場所に近づいたときに、携帯端末機が装備している機能が自動的に作動されるように、あらかじめ移動時間を予測してタイマの設定を行っても、移動時間が予測と異なってしまったような場合等には、所望のタイミングで携帯端末機の機能を作動させることが出来ないといった不都合が生じてしまう。
【０００４】
この発明は、上記のような従来の携帯端末機が有している問題点を解決するために為されたものである。
すなわち、この発明は、ユーザが携帯端末機を携帯して移動する際に、ユーザの所望のタイミングで確実に、携帯端末機が装備してる各種機能を作動させることが出来る携帯端末機のトリガシステムを提供することを目的とする。
【０００５】
【課題を解決するための手段】
第１の発明は、上記目的を達成するために、現在位置を検出する位置検出手段を具備する携帯端末機に、コンピュータネットワークを介して接続される管理サイトを備え、前記管理サイトによって、前記携帯端末機に備えられた機能のうちユーザが設定した機能を作動させるトリガシステムであって、前記管理サイトは、前記コンピュータネットワークを介して前記携帯端末機から送信されてくるユーザが指定した地図上の領域を示す領域設定データを保存する設定領域データベースと、トリガ送信サーバとを備え、前記トリガ送信サーバは、前記携帯端末機から前記コンピュータネットワークを介して送信されてくる前記位置検出手段により検出された現在位置を示す位置データを取得する位置データ取得手段と、前記位置データ取得手段が取得した前記位置データと前記設定領域データベースに保存されている領域設定データとを比較して、前記位置データが示す携帯端末機の現在位置が前記領域設定データが示す地図上の領域内に位置しているか否かの判定を行う判定手段と、前記判定手段によって前記携帯端末機の現在位置が前記地図上の領域内にあると判定されたとき、トリガ信号を前記コンピュータネットワークを介して前記携帯端末機に送信するトリガ信号送信手段とを備え、前記携帯端末機は、備えられた機能のうち、前記トリガ信号に基づいて作動させる機能を設定する設定手段を備え、受信した前記トリガ信号に基づいて設定された機能を作動させること、を特徴としている。
第２の発明によるトリガシステムは、携帯端末機にコンピュータネットワークを介して接続される管理サイトと、複数の中継基地局によって受信される前記携帯端末機からの電波の電界強度に基づいて前記携帯端末機の現在位置を検出する管理局とを備え、前記管理サイトによって、前記携帯端末機に備えられた機能のうちユーザが設定した機能を作動させるトリガシステムであって、前記管理サイトは、前記コンピュータネットワークを介して前記携帯端末機から送信されてくるユーザが指定した地図上の領域を示す領域設定データを保存する設定領域データベースと、トリガ送信サーバとを備え、前記トリガ送信サーバは、前記管理局により検出された前記携帯端末機の現在位置を示す位置データを取得する位置データ取得手段と、前記位置データ取得手段が取得した前記位置データと前記設定領域データベースに保存されている領域設定データとを比較して、前記位置データが示す携帯端末機の現在位置が前記領域設定データが示す地図上の領域内に位置しているか否かの判定を行う判定手段と、前記判定手段によって前記携帯端末機の現在位置が前記地図上の領域内にあると判定されたとき、トリガ信号を前記コンピュータネットワークを介して前記携帯端末機に送信するトリガ信号送信手段とを備え、前記携帯端末機は、備えられた機能のうち、前記トリガ信号に基づいて作動させる機能を設定する設定手段を備え、受信した前記トリガ信号に基づいて設定された機能を作動させること、を特徴としている。
【０００６】
この第１、第２の発明によると、ユーザが、あらかじめ管理サイトの領域設定情報データベースにトリガ信号の送信を希望する地図上の領域の設定を行った後、携帯している携帯端末機の現在位置の検出が行われている状態で移動すると、この携帯端末機の現在位置を示す位置情報が管理サイトに送信され、トリガ送信サーバの位置情報取得手段が携帯端末機の位置情報を取得する。
【０００７】
この位置情報取得手段によって取得された位置情報に基づいて判定手段が、携帯端末機の移動位置が領域設定情報データベースにあらかじめ保存されている設定領域データが示す地図上の領域内であるか否かの判定を行う。
【０００８】
そして、判定手段によって携帯端末機が設定領域内に移動してきたことが判定されると、トリガ信号送信手段がコンピュータネットワークを介して、トリガ信号を携帯端末機に送信する。
【０００９】
これによって、携帯端末機に装備されている例えば電話の自動発呼機能や家庭電気製品のリモートコントロール機能などの各種機能、すなわちユーザがあらかじめセットしている機能が、トリガ信号の受信によって自動的に作動される。
【００１０】
以上のように、第１、第２の発明によれば、ユーザが携帯端末機を所持して移動する際に、ユーザが地図上の領域をあらかじめ設定しておくことにより、携帯端末機を携帯したユーザが設定領域内に移動してくると、携帯端末機に装備されユーザにより指定されている機能がトリガ信号の受信によって自動的に作動されるので、移動時間に関係なく、携帯端末機の機能などを所望のタイミングで確実に作動させることが出来るようになる。
【００１１】
第３の発明によるトリガシステムは、第１又は第２の発明の構成において、前記領域設定データは、ユーザが前記携帯端末機に入力する住所を示す文字列からなり、前記設定領域データベースは、前記住所を示す文字列により示される領域を前記領域設定データとして保存すること、を特徴としている。
【００１２】
第４の発明によるトリガシステムは、第１又は第２の発明の構成において、前記携帯端末機に地図表示させる地図データを、前記コンピュータネットワークを介して提供する地図データベースサイトを更に備え、前記管理サイトは、前記携帯端末機に地図表示された地図上においてユーザ指定される指定位置と指定位置からの範囲を示す距離とのデータを前記携帯端末機から送信されてくる前記領域設定データとして入力して、前記設定領域データベースに保存すること、を特徴としている。
【００１４】
第５の発明によるトリガシステムは、第１の発明の構成において、前記位置検出手段は、全地球測位システムに基づいて前記現在位置を検出すること、を特徴としている。
【００１５】
この第５の発明によれば、携帯端末機の現在位置を示す位置情報が携帯端末機に搭載された全地球測位システムによって検出され、管理サイトの位置情報取得手段が、この全地球測位システムによって検出された携帯端末機の位置情報を取得する。
【００１８】
第６の発明によるトリガシステムは、第１又は第２の発明の構成において、前記管理サイトは、前記携帯端末機を所有するユーザを識別するデータを登録する登録ユーザデータベースを更に有し、前記トリガ信号送信手段は、前記登録ユーザデータベースに登録されたユーザの前記携帯端末機へ前記トリガ信号を送信すること、を特徴としている。
【００１９】
この第６の発明によるトリガシステムによれば、このトリガシステムを利用するユーザを識別する登録情報、例えばこのトリガシステムによってトリガ信号の送信を受ける携帯端末機のＩＤナンバ等が登録ユーザデータベースに登録され、携帯端末機から管理サイトに接続があったときに、この登録ユーザデータベースの検索が行われて、登録ユーザに対してのみトリガ信号の送信サービスが行われる。
【００２０】
第７の発明は、第６の発明の構成において、前記ユーザを識別するデータには、前記携帯端末機の電話番号が含まれること、を特徴としている。
【００２１】
この第７の発明による携帯端末機のトリガシステムによれば、携帯端末機が管理サイトにアクセスしてきた携帯端末機の電話番号（ＩＤナンバ）が登録ユーザデータベースに登録されているか否かを検索して、トリガ信号の送信サービスの可否を判定する。
【００２２】
第８の発明によるトリガシステムは、第４の発明の構成において、前記判定手段は、前記地図データベースサイトが提供する前記地図データを利用して、前記取得した位置データと前記設定領域データベースに保存されている領域設定データとの比較を行って前記判定を行うこと、を特徴としている。
【００２３】
この第８の発明によるトリガシステムによれば、コンピュータネットワークを介して、または、直接に管理サイトに接続された地図データベースサイトから提供される地図データによって示される地図上において、送信されてくる位置情報に基づく携帯端末機の現在位置と、記憶手段に登録された設定領域とが対比されて、これにより、携帯端末機の現在位置が設定領域内の位置であるか否かの判定が容易に行われる。
【００２４】
第９の発明によるトリガシステムは、第１の発明の構成において、前記携帯端末機に備えられユーザにより設定される機能には、電話の自動発呼機能が含まれること、を特徴としている。
【００２５】
この第９の発明による携帯端末機のトリガシステムによれば、携帯端末機を携帯しているユーザがあらかじめ設定されている地図上の領域内に移動すると、管理サイトから送信されてくるトリガ信号によって、携帯端末機に装備されている電話の自動発呼機能が作動して、例えば訪問先にこれから訪問する旨のメッセージ等が送信される。
【００２６】
第１０の発明によるトリガシステムは、第１の発明の構成において、前記機能は、家庭電気製品のリモートコントロール機能であること、を特徴としている。
第１１の発明によるトリガシステムは、第１ないし第１０の何れかの発明の構成において、前記コンピュータネットワークは、無線通信によるネットワークであること、を特徴としている。
【００２７】
この第１０の発明による携帯端末機のトリガシステムによれば、携帯端末機を携帯しているユーザがあらかじめ設定されている地図上の領域内に移動してくると、管理サイトから送信されてくるトリガ信号によって、携帯端末機に装備されている家庭電気製品のリモートコントロール機能が作動して、例えば、帰宅前に、自宅のエアーコンディショナなどの家庭電化製品のスイッチ等が自動的にオンされる。
【００２８】
【発明の実施の形態】
以下、この発明の最も好適と思われる実施の形態について、図面を参照しながら詳細に説明を行う。
【００２９】
図１は、この発明による携帯端末機のトリガシステムの実施形態の一例を示すシステム構成図である。
【００３０】
この図１において、管理サイトＳ１は、携帯電話機やＰＤＡなどの携帯端末機の位置を検出して、携帯端末機を携帯するユーザが地図上のあらかじめ設定された領域内に移動したときに、その携帯端末機に対して、後述するようなトリガ信号の送信を行うサイトであり、トリガ送信サーバＳ１ａと、設定領域データベースＳ１ｂと、登録ユーザデータベースＳ１ｃとを備えていて、インターネットＩに接続されている。
【００３１】
インターネットＩには、さらに、地図画像データの検索を行って管理サイトＳ１および携帯端末機に地図データを提供する地図サーバＳ２ａと、地図データが蓄積された地図データベースＳ２ｂとを備えた地図データベースサイトＳ２が接続されている。
【００３２】
携帯電話機やＰＤＡなどの携帯端末機Ｔは、図示しない移動体通信網および公衆電話回線網からインターネットＩを介して管理サイトＳ１および地図データベースサイトＳ２に接続出来るインターネット接続機能を備えており、さらに、ＧＰＳ(Global Positioning System)を搭載していて、このＧＰＳにより衛星ＳＴとの交信によって位置検出を行って、その位置情報をインターネットＩを介して情報配信サイトＳ１に送信するようになっている。
【００３３】
この携帯端末機Ｔは、電子メール送信機能や電話の自動発呼機能，電話回線網を介した家庭電化製品などのリモートコントロール機能などの各種の機能を装備しており、さらに、後述するように、管理サイトＳ１から送信されてくるトリガ信号に基づいてこれらの各機能を起動させる起動プログラムを搭載している。
【００３４】
管理サイトＳ１のトリガ送信サーバＳ１ａには、後述するように、登録ユーザデータベースＳ１ｃに登録されている携帯端末機ＴがインターネットＩを介して接続されると、その携帯端末機Ｔが送信してくるＧＰＳによって検出された位置情報を受信し、その受信した位置信号によって携帯端末機Ｔが設定領域データベースＳ１ｂにあらかじめ設定されている地図上の領域内に入ったことを検出すると、携帯端末機Ｔにトリガ信号を送信するプログラムが格納されている。
【００３５】
設定領域データベースＳ１ｂには、ユーザが携帯端末機Ｔにおいて設定を行うトリガ信号の送信設定領域を示す領域設定データが保存される。
【００３６】
登録ユーザデータベースＳ１ｃには、このトリガシステムを利用するユーザの登録情報、例えば、携帯端末機ＴのＩＤナンバ（電話番号）や氏名，性別，年齢，職業等に関するデータが蓄積される。
【００３７】
地図データベースサイトＳ２の地図サーバＳ２ａには、管理サイトＳ１のトリガ送信サーバＳ１ａにおいて携帯端末機Ｔの現在位置を認識するための地図データの提供を行うとともに、携帯端末機Ｔからの要求に基づいて要求された地域の地図データの携帯端末機Ｔへの提供を行うプログラムが格納されている。
【００３８】
地図データベースＳ２ｂには、縮尺に応じた地図データが蓄積されている。
なお、図１中、ＣＳは、ＧＰＳにおける衛星ＳＴの時刻信号を管理する地上制御局である。
【００３９】
次に、上記のトリガシステムによる携帯端末機Ｔへのトリガ信号の送信の手順について、トリガシステムを利用しながら移動するユーザの状態を示す図２を参照しながら説明を行う。
【００４０】
ユーザは、この情報配信システムを利用する際には、先ず、インターネットＩを介して携帯端末機Ｔを管理サイトＳ１に接続して、携帯端末機Ｔへの入力を行うことにより、トリガ信号の送信を希望する地図上の領域とトリガ信号の送信を受ける携帯端末機ＴのＩＤナンバ（電話番号）の設定登録を行う。
【００４１】
このトリガ信号の送信領域の設定登録は、住所を示す文字列を入力したり、または、携帯端末機ＴをインターネットＩを介して地図データベースサイトＳ２に接続させ、携帯端末機Ｔのディスプレイに表示される地図データベースサイトＳ２から提供される地図データに基づく地図画像上において、訪問地や自宅の位置を指定した後、「指定位置の〇〇〇ｍ以内」とするような設定入力を行う等の方法によって行われる。
【００４２】
このようにして、携帯端末機Ｔにおいて行われたトリガ信号の送信領域の設定登録のための入力信号は、インターネットＩを介して管理サイトＳ１に送信され、トリガ送信サーバＳ１ａが、この携帯端末機Ｔからの入力信号に基づいて、地図上の設定領域を示す領域設定データを設定領域データベースＳ１ｂに記憶させる。
【００４３】
また、ユーザは、携帯端末機Ｔに、管理サイトＳ１からのトリガ信号に基づいて起動させる機能、例えば、訪問先に近づいたときに自動的に電話の発呼信号を送信する機能や、自宅に近づいたときにエアーコンディショナや照明などをオンさせるリモートコントロール機能等の携帯端末機Ｔに装備されている各種機能のうち、所望の機能を選択してトリガ信号の受信によって作動されるように設定しておく。
【００４４】
このようにして、トリガ信号の送信領域の設定登録と携帯端末機Ｔにおけるトリガ信号によって作動させる機能の設定が行われた後、ユーザＵは、携帯端末機Ｔに搭載しているＧＰＳをオンした状態で、この携帯端末機ＴをインターネットＩを介して管理サイトＳ１に接続させておく。
【００４５】
そして、この状態で、ユーザが携帯端末機Ｔを携帯して移動を行うと、その移動した位置は、携帯端末機ＴのＧＰＳによって検出されて、その検出された位置情報が、逐次、または、一定時間（例えば５分）ごとに、インターネットＩを介して管理サイトＳ１のトリガ送信サーバＳ１ａに送信される。
【００４６】
管理サイトＳ１のトリガ送信サーバＳ１ａは、携帯端末機Ｔからの接続が有った際に、登録ユーザデータベースＳ１ｃを検索して、その携帯端末機ＴのＩＤナンバが登録ユーザデータベースＳ１ｃに登録されているときには、携帯端末機Ｔから送信されてくるＧＰＳによって検出された位置情報に基づいて、地図データベースサイトＳ２から提供される地図データとＧＰＳによる位置検出データとを対比することにより、携帯端末機Ｔの現在位置の監視を行う。
【００４７】
そして、ユーザＵが図２のＡ地点からＢ地点へと移動し、さらに、設定領域データベースＳ１ｂにあらかじめ設定されているトリガ信号の送信領域ｅ内に含まれるＣ地点に移動して来たときに、携帯端末機Ｔの現在位置がトリガ信号の送信領域ｅ内であることを検出して、トリガ信号ＴｒをインターネットＩを介して携帯端末機Ｔに発信する。
【００４８】
携帯端末機Ｔは、この管理サイトＳ１からのトリガ信号Ｔｒを受信すると、あらかじめセットされている電話の発呼機能や家電のリモートコントロール機能等を作動させる。
【００４９】
以上のように、ユーザＵは、あらかじめ管理サイトＳ１にトリガ信号の送信領域ｅを設定しておくことによって、時間に関係なく確実に、携帯端末機Ｔによる所望の処理を実行することができる。
【００５０】
図３は、この発明による携帯端末機のトリガシステムの実施形態の他の例を示すシステム構成図である。
【００５１】
上述した図１の例においては、携帯端末機Ｔの現在位置の検出を携帯端末機Ｔに搭載されたＧＰＳによって行っているが、この図３の例は、携帯端末機である簡易型携帯電話機（ＰＨＳ）Ｔ’の位置を、三箇所以上のＰＨＳ基地局Ｂ１，Ｂ２，Ｂ３，Ｂ４…において受信される簡易型携帯電話機Ｔ’からの電波の電界強度によって検出するものである。
【００５２】
すなわち、図３において、簡易型携帯電話機Ｔ’からは、内蔵する識別コード発信回路から一定時間置きに識別コード信号が発信され、ＰＨＳ管理局ＴＢは、この簡易型携帯電話機Ｔ’からの識別コード信号を受信する複数のＰＨＳ基地局Ｂ１，Ｂ２，Ｂ３，Ｂ４…のうち受信電界強度が大きいＰＨＳ基地局を三箇所（図示の例では、ＰＨＳ基地局Ｂ１とＢ２，Ｂ３）選択して、これら三箇所のＰＨＳ基地局Ｂ１，Ｂ２，Ｂ３の位置データと各ＰＨＳ基地局Ｂ１，Ｂ２，Ｂ３における受信電界強度の値とから、三点測量の手法で簡易型携帯電話機Ｔ’の位置を検出する。
【００５３】
そして、この検出された簡易型携帯電話機Ｔ’の現在位置を示す位置情報は、ＰＨＳ管理局ＴＢからインターネットＩを介して管理サイトＳ１に送信される。
【００５４】
このＰＨＳ管理局ＴＢからの簡易型携帯電話機Ｔ’の位置情報を受信した管理サイトＳ１におけるトリガ信号Ｔｒの送信手順については、図１の例の場合と同様である。
【００５５】
なお、上記の各例においては、トリガ信号Ｔｒを携帯端末機Ｔや簡易型携帯電話機Ｔ’に送信してこれらに装備された所要の機能を作動させる他、図３に示されるように家庭Ｈなどに設置されているインターネット機能を備えたエアコンディショナやＶＴＲなどの家電製品に、インターネットＩを介して直接トリガ信号Ｔｒを送信して、これらの所要の機能を作動させるようにしても良い。
【００５６】
また、上記の各例においては、管理サイトＳ１への携帯端末機Ｔおよび簡易型携帯電話機Ｔ’の位置情報の送信をインターネットを介して行う場合について説明を行ったが、インターネットの代わりに無線通信を用いて行うようにしても良い。
【図面の簡単な説明】
【図１】この発明の実施形態の一例を示すシステム構成図である。
【図２】同例においてトリガシステムを利用しながら移動するユーザの状態を示す状態説明図である。
【図３】この発明の実施形態の他の例を示すシステム構成図である。
【符号の説明】
Ｓ１         …管理サイト
Ｓ１ａ       …トリガ送信サーバ
Ｓ１ｂ       …領域設定情報データベース
Ｓ１ｃ       …登録ユーザデータベース
Ｓ２         …地図データベースサイト
Ｓ２ａ       …地図サーバ
Ｓ２ｂ       …地図データベース
Ｉ           …インターネット
Ｔ           …携帯端末機
Ｔ’         …簡易型携帯電話機
Ｔｒ         …トリガ信号
ｅ           …トリガ信号の送信領域
ＳＴ         …衛星
ＣＳ         …地上制御局
ＴＢ         …ＰＨＳ管理局
Ｂ１，Ｂ２，Ｂ３，Ｂ４…ＰＨＳ基地局（中継基地局）
Ｕ           …ユーザ
Ｈ           …家庭
【図１】
0004146612.tif 000002
【図２】
0004146612.tif 000003
【図３】
0004146612.tif 000004